(57)【特許請求の範囲】
【請求項１】
化粧用組成物を含侵して保持するための液状物含侵用部材であって、
連続気泡が形成された発泡プラスチック製の本体を有し、
前記本体は、側面と、前記側面よりも大きな面積を有する上面及び裏面によって外形が規定され、
前記本体には、水平方向におけるいずれの方向においても複数のスリットが互いに乖離して形成されており、
複数の前記スリットは、前記本体の全体に分布し、前記上面と前記裏面を結ぶ方向に延びるように形成されており、
前記本体の中央部に形成された複数の前記スリットの間の間隔は、前記中央部の外側に形成された複数の前記スリットの間の間隔よりも小さく形成されており、
前記スリットは、前記化粧用組成物が前記連続気泡に達するための経路として機能し、
前記連続気泡は、主として前記化粧用組成物の保持部として機能するように構成されている、
液状物含侵用部材。
【請求項２】
複数の前記スリットによって形成される前記本体の内部の面であるスリット面の合計面積（Ｓｃ）の前記上面または裏面の面積（Ｓ１）に対する割合である面積割合（Ｓｃ／Ｓ１）が１以上の所定の数値範囲内になるように構成されている、
請求項１に記載の液状物含侵用部材。
【請求項３】
前記スリットは、前記本体を上下方向に貫通するように形成されている、請求項１に記載の液状物含侵用部材。
【請求項４】
前記スリットは、前記上面または前記裏面のいずれか一方の面には露出しているが、他方の面には露出しないように形成されている、
請求項１に記載の液状物含侵用部材。
【請求項５】
前記スリットは、前記上面及び前記裏面の双方の面に露出しており、かつ、前記本体を貫通しないように形成されている、
請求項１に記載の液状物含侵用部材。
【請求項６】
前記スリットの一部は、前記本体を上下方向に貫通しており、
前記スリットの他の一部は前記上面または前記裏面のいずれか一方の面には露出しているが、他方の面には露出していない、
請求項１に記載の液状物含侵用部材。
【請求項７】
前記スリットの数は、前記上面または前記裏面の面積に対して所定範囲内の数として規定されている、
請求項１乃至請求項６のいずれかに記載の液状物含侵用部材。
【請求項８】
前記本体の幅（Ｗ１）に対する前記スリットの幅（Ｔ１）の比（Ｔ１／Ｗ１）は、０．０３以上０．０６以下において規定されている、
請求項１乃至請求項７のいずれかに記載の液状物含侵用部材。
【請求項９】
前記スリットは、十字状に形成されている、
請求項１乃至請求項８のいずれかに記載の液状物含侵用部材。
【請求項１０】
前記スリットは、
前記本体の中心部における所定の位置を中心とする複数の仮想同心円を位置基準として形成されており、
特定の前記仮想同心円の一つ外側の前記仮想同心円の半径は、前記特定の前記仮想同心円の半径よりも所定の長さだけ異なるように規定されている、
請求項１乃至請求項９のいずれかに記載の液状物含侵用部材。
【発明の詳細な説明】
【技術分野】
【０００１】
本発明は化粧用組成物の含侵用の液状物含侵用部材に関する。
【背景技術】
【０００２】
従来、化粧用組成物の含侵用発泡プラスチックフォーム（以下、「スポンジ」という。）にリキッドファンデーションを含侵させ、そのスポンジをコンパクト状の化粧品容器のスポンジ収容部に配置し、スポンジに含侵させたリキッドファンデーションをパフに付着させて、化粧に用いる化粧品容器が使用されている（例えば、特許文献１）。
【先行技術文献】
【特許文献】
【０００３】
【特許文献１】特許第２０１７−２９６０７
【発明の概要】
【発明が解決しようとする課題】
【０００４】
上述の化粧品容器の製造工程において、スポンジに化粧用組成物を含侵させる工程（以下、「含侵工程」という。）が存在する。図２２に示すように、従来のスポンジ２００においては、例えば、矢印Ａ及びＢに示す方向からリキッドファンデーションがスポンジ２００の本体２１０の外面に接触し、矢印Ｃ１及びＣ２に示すように、本体２１０の内部に含侵していく。図２３は、本体２１０の内部の一部を拡大して示す概念図である。本体２１０は、樹脂部２１２と気泡部２１４で構成される。リキッドファンデーションは、例えば、矢印Ｃ１に示すように、気泡部２１４の内部形状に従って曲折しつつ、気泡部２１４に含侵していく。このような含侵工程をより短時間にすることで、製造時間を短縮化することが求められる。【０００５】
本発明は、上記を踏まえて、より短時間で化粧用組成物を含侵させることができる液状物含侵用部材を提供するものである。
【課題を解決するための手段】
【０００６】
第一の発明は、化粧用組成物を含侵して保持するための液状物含侵用部材であって、連続気泡が形成された発泡プラスチック製の本体を有し、前記本体は、側面と、前記側面よりも大きな面積を有する上面及び裏面によって外形が規定され、前記本体には、複数のスリットが互いに乖離して形成されており、複数の前記スリットは、前記本体の全体に分布し、前記上面と前記裏面を結ぶ方向に延びるように形成されており、前記本体の中央部に形成された複数の前記スリットの間の間隔は、前記中央部の外側に形成された複数の前記スリットの間の間隔よりも小さく形成されており、前記スリットは、前記化粧用組成物が前記連続気泡に達するための経路として機能し、前記連続気泡は、主として前記化粧用組成物の保持部として機能するように構成されている、液状物含侵用部材である。【０００７】
第一の発明の構成によれば、化粧用組成物は本体の外面から連続気泡に接触するほか、本体に形成されたスリットを通過し、本体の内部からも連続気泡に接触する。本体の外面から連続気泡に接触した化粧用組成物は、主に上面と裏面を結ぶ方向（以下、「上下方向」という。）において、連続気泡に含侵されていく。これに対して、スリットによって形成される本体内部の面（以下、「スリット面」という。）は上下方向に延びているから、主に上下方向と直交する方向（以下、「水平方向」という。）において、連続気泡に含侵されていく。そして、スリットは、本体の全体に分布しているから、本体の全体において、上下方向において連続気泡に含侵される化粧用組成物の流れと、水平方向において連続気泡に含侵される化粧用組成物の流れを生成することができる。さらに、本体の中央部に形成された複数のスリットの間の間隔は、中央部の外側に形成された複数のスリットの間の間隔よりも小さく形成されているから、スリット面の面積は、中央部において相対的に大きく、中央部の外側において相対的に小さい。このため、中央部は相対的に多量の化粧用組成物が連続気泡に達するための導入部として機能し、外側に向かって、効果的に化粧用組成物の含侵を進行させることができる。これにより、より短時間で化粧用組成物を含侵させることができる。【０００８】
第二の発明は、第一の発明の構成において、複数の前記スリットによって形成される前記本体の内部の面であるスリット面の合計面積（Ｓｃ）の前記上面または裏面の面積（Ｓ１）に対する割合である面積割合（Ｓｃ／Ｓ１）が１以上の所定の数値範囲内になるように構成されている、液状物含侵用部材である。【０００９】
第二の発明の構成によれば、本体にスリットが形成されない場合に比べて、化粧用組成物が連続気泡に接触する面積が２倍以上になるから、より短時間で液状物含侵用部材に化粧用組成物を含侵させることができる。【００１０】
第三の発明は、第一の発明の構成において、前記スリットは、前記本体を上下方向に貫通するように形成されている、液状物含侵用部材である。【００１１】
第三の発明の構成によれば、化粧用組成物は、本体を貫通するスリットを通過しつつ、本体の連続気泡に含侵していく。【００１２】
第四の発明は、第一の発明の構成において、前記スリットは、前記上面または前記裏面のいずれか一方の面には露出しているが、他方の面には露出しないように形成されている、液状物含侵用部材である。【００１３】
第四の発明の構成によれば、液状物含侵用部材をスリットが露出していない面が表面になるように化粧品容器に配置し、その表面にパフを押圧し、パフの面により均一に化粧用組成物を付着させることができる。【００１４】
第五の発明は、第一の発明の構成において、前記スリットは、前記上面及び前記裏面の双方の面に露出しており、かつ、前記本体を貫通しないように形成されている、液状物含侵用部材である。【００１５】
第五の発明の構成によれば、スリットが形成されていても、連続気泡部を上下方向に完全に切断することはないから、化粧用組成物を効果的に水平方向に含侵させることができる。【００１６】
第六の発明は、第一の発明の構成において、前記スリットの一部は、前記本体を上下方向に貫通しており、前記スリットの他の一部は前記上面または前記裏面のいずれか一方の面には露出しているが、他方の面には露出していない、液状物含侵用部材である。【００１７】
第七の発明は、第一の発明乃至第六の発明のいずれかの構成において、前記スリットの数は、前記上面または前記裏面の面積に対して所定範囲内の数として規定されている、液状物含侵用部材である。【００１８】
スリットの数が少な過ぎると、化粧用組成物がスリット面と接触する面積が少ないから、化粧用組成物を効果的に連続気泡に含侵させることができない。これに対して、スリットの数が多過ぎると、連続気泡が切断される位置が多くなり、化粧用組成物を保持する機能が損なわれる。この点、第七の発明の構成によれば、スリットの数は本体の上面または裏面の面積に対して所定範囲の数として規定されているから、効果的に、化粧用組成物を連続気泡に含侵させるとともに、保持させることができる。【００１９】
第八の発明は第一の発明乃至第七の発明のいずれかの構成において、前記スリットの長さは、所定範囲内の長さとして規定されている、液状物含侵用部材である。【００２０】
スリットの長さが長すぎると、スリット同士の間において空間を形成することができない。これに対して、スリットの長さが短すぎると、スリット面の適切な面積を確保することができない。この点、第八の発明の構成によれば、スリットの長さは、所定範囲内の長さとして規定されているから、スリット同士の間において空間を形成し、かつ、スリット面の適切な面積を確保することができる。【００２１】
第九の発明は、第一の発明乃至第八の発明のいずれかの構成において、前記スリットは、十字状に形成されている、液状物含侵用部材である。【００２２】
第九の発明の構成によれば、スリットは十字状に形成されているから、平面視における中心部において、化粧用組成物の流れに対する抵抗は相対的に小さい。このため、スリットの中心部において、化粧用組成物が相対的に速く浸透する。そして、中心部における速い速度の流れによって、中心部の周辺における化粧用組成物の浸透速度を速めることができる。【００２３】
第十の発明は、第一の発明乃至第九の発明のいずれかの構成において、前記スリットは、前記本体の中心部における所定の位置を中心とする複数の仮想同心円を位置基準として形成されており、特定の前記仮想同心円の一つ外側の前記仮想同心円の半径は、前記特定の前記仮想同心円の半径よりも所定の長さだけ異なるように規定されている、液状物含侵用部材である。
【発明の効果】
【００２４】
本発明にかかる液状物含侵用部材によれば、より短時間で化粧用組成物を含侵させることができる液状物含侵用部材を提供することができる。
【図面の簡単な説明】
【００２５】
【図１】本発明の第一の実施形態にかかるスポンジの概略斜視図である。
【図２】化粧品容器に収納されたスポンジの状態等を示す概略図である。
【図３】スポンジの概略平面図である。
【図４】補助線を付したスポンジの概略平面図である。
【図５】スポンジの一部を拡大して示す概略斜視図である。
【図６】スポンジに化粧用組成物が含侵される経路を示す概略図である。
【図７】化粧用組成物の流れを示す概念図である。
【図８】化粧用組成物の水平方向の流れを示す概略図である。
【図９】化粧用組成物の上下方向の流れを示す概略図である。
【図１０】十字形状のスリットの平面視における概略拡大図である。
【図１１】十字形状のスリットにおける液体の浸透状態を説明する概念図である。
【図１２】スポンジの内部において化粧用組成物が含侵していく状態を示す概略図である。
【図１３】スポンジの内部において化粧用組成物が含侵していく状態を示す概略図である。
【図１４】化粧用組成物のスポンジへの含侵を試験する試験方法及び試験結果を示す図である。
【図１５】第二の実施形態のスポンジを示す概略平面図である。
【図１６】第三の実施形態のスポンジを示す概略平面図である。
【図１７】第四の実施形態のスポンジを示す概略平面図である。
【図１８】第四の実施形態のスポンジを示す概略底面図である。
【図１９】第四の実施形態のスポンジを示す概略部分側面図である。
【図２０】第五の実施形態のスポンジを示す概略部分側面図である。
【図２１】第六の実施形態のスポンジを示す概略部分側面図である。
【図２２】従来のスポンジにおける化粧用組成物の含侵態様を示す概略図である。
【図２３】従来のスポンジにおける化粧用組成物の含侵態様を示す概略図である。
【発明を実施するための形態】
【００２６】
以下、図面に基づき本発明の好適な実施形態を説明する。なお、当業者が適宜実施できる構成については説明を省略し、本発明の基本的な構成についてのみ説明する。
【００２７】
＜第一の実施形態＞
図１に示すスポンジ１は、化粧用組成物を含侵して保持するための部材である。スポンジ１は液状物含侵用部材の一例である。化粧用組成物は、例えば、リキッドファンデーション（液状のファンデーション）である。本明細書において、化粧用組成物はリキッドファンデーションであるとして、以下、説明する。
【００２８】
図２に示すように、スポンジ１は、コンパクト状の化粧品容器４０の本体部４２に格納される。化粧品容器４０は、本体部４２と蓋部４４がヒンジ（図示せず）によって開閉可能に構成されている。スポンジ１には、リキッドファンデーションが含侵されて保持されている。スポンジ１に保持されているリキッドファンデーションは、使用者によって、パフ４６に付着させられて、化粧に使用される。
【００２９】
化粧品容器４０の製造工程において、スポンジ１にリキッドファンデーションが含侵される。以下に説明するように、スポンジ１は、従来よりも短時間で、リキッドファンデーションを含侵することができる。これにより、化粧品容器４０の製造効率を向上することができる。
【００３０】
図１に示すように、スポンジ１は、スポンジ１の本体である本体１０で構成される。本体１０は、全体として扁平な形状に形成されており、上面１０ａ、裏面１０ｂ及び側面１０ｃによって外形が規定される。上面１０ａ及び裏面１０ｂは、それぞれ、側面１０ｃよりも大きな面積を有する。本体１０の上面１０ａ及び裏面１０ｂは、平面視で卵型形状であり、所定の高さＨ１を有する。高さＨ１は、例えば、８ミリメートル（ｍｍ）である。本明細書において、上面１０ａと裏面１０ｂを結ぶ方向（矢印Ｚに示す方向）を上下方向と呼び、矢印Ｘ及びＹに示す方向を水平方向と呼ぶ。上下方向と水平方向は直交する方向である。本実施形態においては、側面１０ｃは、上面１０ａと裏面１０ｂと垂直に形成されているが、この形態に限らず、例えば、側面１０ｃは、中央部から外側に向かって凸の曲面として形成されていてもよい。
【００３１】
図３は、スポンジ１の平面図である。平面図は、上面１０ａ及び裏面１０ｂの形状を示し、また、図１に示すスポンジ１のＧＧ線断面図でもある。図３に示すように、スポンジ１の外形は、所定の長さＬ１及び幅Ｗ１で構成されている。長さＬ１は、例えば、５７ミリメートル（ｍｍ）である。幅Ｗ１は、例えば、４５ミリメートル（ｍｍ）である。
【００３２】
本体１０は、多数の微細気孔を有するスポンジである。微細気孔は、連続気泡（図５参照）である。すなわち、本体１０の各気泡は独立しておらず、他の気泡と連続している。本体１０の材質は発泡プラスチックである。発泡プラスチックは、合成樹脂を発泡させた後、固化したものである。発泡プラスチックとして使用される合成樹脂は、例えば、湿式ポリウレタン、乾式ポリウレタン、ポリプロピレン、アクリロニトリル・ブタジエンゴム（ＮＢＲ）、ブタジエンゴム（ＢＲ）、スチレン・ブタジエンゴム（ＳＢＲ）、天然ゴム（ＮＲ）、ポリ塩化ビニル、ポリエチレン、エチレン・ビニル・アセテート（ＥＶＡ）、ラテックス、シリコン、ポリスチレン、スチレン・イソプレン・スチレン（ＳＩＳ）、スチレン・エチレン・ブチレン・スチレン（ＳＥＢＳ）、ポリビニルアルコール（ＰＶＡ）、シリコン剤エラストマー、ニトリルゴム、ブチルゴム、ポリエーテル、ポリエステルおよびネオプレンである。本実施形態においては、発泡プラスチックはポリエチレンフォームである。
【００３３】
図１及び図３に示すように、本体１０には、複数のスリット２０及び３０が、互いに乖離して形成されている。スリット２０及び３０は、本体１０の全体に分布し、本体１０を上下方向に貫通している。スリット２０は平面視で十字型に形成されており、スリット３０は平面視で線分状に形成されている。なお、水平方向の断面図においても、スリット２０は十字型であり、スリット３０は線分状である。
【００３４】
図１に示すように、スリット２０は、第一部２０Ａ、及び、第一部２０Ａと直交する第二部２０Ｂで形成されている。第一部２０Ａ及び第二部２０Ｂは、側面視において、長方形の形状に形成されている。第一部２０Ａ及び第二部２０Ｂの一方の長さ方向は、本体１０の中央部から外側へ向かう方向であり、他方は、直交する方向である。第一部２０Ａと第二部２０Ｂは、それぞれ、高さＨ１及び幅Ｔ１を有し、線分Ｐ１で交わっている。スリット３０は、第一部２０Ａまたは第二部２０Ｂのみで形成される。幅Ｔ１は、例えば、２ミリメートル（ｍｍ）である。後述のように、幅Ｔ１は、所定範囲内の長さとして規定されている。
【００３５】
図３に示すように、本体１０において、スリット２０または３０のいずれも存在しない領域が形成されている。本体１０において、スリット２０またはスリット３０のいずれも形成されていない領域を「基部」と呼ぶ。本体１０の基部は、例えば、４つのスリット２０に囲まれた基部１０Ｓ１、２つのスリット２０の間の基部１０Ｓ２である。基部１０Ｓ１や１０Ｓ２等の基部にリキッドファンデーションが含侵されて保持される。より詳細には、後述のように、基部の連続気泡にリキッドファンデーションが含侵されて保持される。
【００３６】
図１及び図３に示すように、本体１０の中央部に形成された複数のスリット２０の間の間隔は、中央部の外側に形成された複数のスリット２０及び３０の間の間隔よりも小さく形成されている。以下、図４を参照して、スリット２０及び３０の配置について、詳細に説明する。
【００３７】
図４に示すように、スリット２０及び３０は、本体１０の中央部における所定の位置を中心とする複数の仮想同心円を位置の基準として形成されている。図４では、本体１０の中央部の中心におけるスリット２０をスリット２０Ｃとして示している。特定の仮想同心円の一つ外側の仮想同心円の半径は、特定の仮想同心円の半径と対比して所定の長さだけ異なるように規定されている。例えば、最も中心の仮想同心円の半径は７ミリメートル（ｍｍ）であり、その一つ外側の仮想同心円の半径は１４ミリメートル（ｍｍ）であり、さらに一つ外側の仮想同心円の半径は２１ミリメートル（ｍｍ）である。すなわち、仮想同心円の半径は、一つ外側になると、所定の長さとして、７ミリメートル（ｍｍ）ずつ長くなる。各仮想同心円には、原則として、同数のスリット２０または３０を配置する。このため、単位面積当たりのスリット２０及び３０の数は、中央部ほど多く、外側ほど少なくなっている。
【００３８】
スリット２０及び３０の数は、本体１０の上面１０ａまたは裏面１０ｂの面積に対して所定範囲内の数として規定されている。スリット２０等によって形成される本体１０内部の面を「スリット面」という。本体１０全体として、スリット２０等の数が少な過ぎると、リキッドファンデーションがスリット面と接触する面積が少ないから、リキッドファンデーションを効果的に連続気泡に含侵させることができない。これに対して、スリット２０等の数が多過ぎると、連続気泡が切断される位置が多くなり、本体１０全体として、リキッドファンデーションを保持する機能が損なわれる。この点、スリット２０等の数は本体１０の上面１０ａまたは裏面１０ｂの面積に対して所定範囲の数として規定されているから、効果的に、リキッドファンデーションを連続気泡に含侵させるとともに、保持させることができる。
【００３９】
スリット２０及び３０の幅Ｔ１は、本体部１０の幅Ｗ１との関係で、所定の数値範囲に規定されている。所定の数値範囲は、幅Ｔ１と幅Ｗ１の比Ａ１（Ｔ１／Ｗ１）が、０．０３以上０．０６以下である。本実施形態において、スリット２０及び３０の幅Ｔ１は２ミリメートル（ｍｍ）であり、本体部１０の幅Ｗ１は４５ミリメートル（ｍｍ）であるから、比Ａ１は、０．０４である。スリット２０等の長さが長すぎると、スリット２０等同士の間において空間を形成することができない。これに対して、スリット２０等の長さが短すぎると、スリット面の適切な面積を確保することができない。この点、スリット２０等の長さは、所定範囲内の長さとして規定されているから、スリット２０等同士の間において空間を形成し、かつ、スリット面の適切な面積を確保することができる。
【００４０】
そして、上述のように幅Ｔ１が規定されるスリット２０は、本体１０の平面視（すなわち、上面１０ａ及び裏面１０ｂ）の単位面積（１平方センチメートル１ｃｍ２）あたり、４個以上７個以下に規定されており、望ましくは、５個乃至６個に規定されている。本実施形態においては、例えば、単位面積あたり、約５個である。スリット３０の数は、スリット２０の数の１０％以下に規定されている。本実施形態において、例えば、スリット２０は１０５個、スリット３０は６個であるから、スリット３０の数はスリット２０の数の５．７％である。スリット２０等の数が少なすぎると、スリット面の適切な面積を確保することができない。これに対して、スリット２０等の数が多すぎると、連続気泡が切断される位置が多すぎるから、リキッドファンデーションを保持する機能が損なわれる。この点、スリット２０等の数は、所定範囲内の数として規定されているから、スリット面の適切な面積を確保しつつ、連続気泡の液体保持機能を確保することができる。
【００４１】
上述のように、スリット２０は第一部２０Ａ及び第二部２０Ｂで構成されており、スリット３０は第一部２０Ａまたは第二部２０Ｂで構成されている。このため、スリット２０を構成する第一部２０Ａ及び第二部２０Ｂの総数は２１０個、スリット３０を構成する第一部２０Ａまたは第二部２０Ｂの総数は６個である。そして、スリット２０及び３０を構成する第一部２０Ａまたは第二部２０Ｂの総数は、２１６個である。第一部２０Ａまたは第二部２０Ｂの総数は、本体１０の平面視の単位面積（１平方センチメートル：１ｃｍ２）あたり、８個以上１４個以下に規定されており、望ましくは、１０個以上１２個以下に規定されている。本実施形態においては、単位面積あたり、約１１個である。
【００４２】
スリット２０及び３０が上述のように形成されていることによって、上面１０ａまたは裏面１０ｂの面積Ｓ１に対するスリット面の合計面積Ｓｃの面積割合（Ｓｃ／Ｓ１）が１以上の所定の数値範囲内になるように構成されている。これにより、含侵工程において、リキッドファンデーションが連続気泡に接触する面積を大きく形成することができるようになっている。面積割合（Ｓｃ／Ｓ１）は、１以上であることが望ましく、例えば、１．０以上２．５以下であり、望ましくは、１．５以上２．５以下である。一つのスリット２０または３０に着目すると、本体１０の内部において、スリット面は、一つのスリット２０または３０の両面（例えば、図１０及び図１１の面２０Ａａ及び２０Ａｂ）に生じるのであるが、合計面積Ｓｃの面積割合（Ｓｃ／Ｓ１）の算出においては、片面の面積（例えば、図１０及び図１１の面２０Ａａ及び２０Ａｂのうち、面２０Ａａ）を使用する。本実施形態とは異なり、一つのスリット２０または３０の両面の面積を使用する場合には、面積割合（Ｓｃ／Ｓ１）は、片面の面積を使用する場合の２倍になるが、技術的には本実施形態と同義である。
【００４３】
第一部２０Ａ及び第二部２０Ｂの面積Ｓ２は、それぞれ、Ｓ２＝Ｔ１×Ｈ１であり、幅Ｔ１が０．２ｃｍ（センチメートル）、高さＨ１が０．８ｃｍ（センチメートル）であるから、面積Ｓ２は０．１６平方センチメートル（ｃｍ２）である。そして、スリット２０及び３０を構成する第一部２０Ａまたは第二部２０Ｂの総数は、２１６個であるから、合計面積Ｓｃは、３４平方センチメートル（ｃｍ２）である。面積Ｓ１を約２０平方センチメートル（ｃｍ２）とすると、面積割合（Ｓｃ／Ｓ１）は、１．７である。
【００４４】
図５は、図４に示すスポンジ１の本体１０の領域１０Ａを拡大して概念的に示す図である。図５に示すように、領域１０Ａの基部は、基材としての樹脂部１２と、樹脂部１２が発泡されて形成された気泡部１４で構成される。気泡部１４を構成する個々の気泡は他の気泡と連続し、連続気泡を形成している。気泡部１４にリキッドファンデーションが含侵して保持される。基部を囲むように、スリット２０が形成されている。
【００４５】
気泡部１４は、球状の空間が連続し、非直線的な複雑な形状をしており、主としてリキッドファンデーションの保持部として機能する。これに対して、スリット２０は、リキッドファンデーションの流れに対する抵抗が相対的に小さく、リキッドファンデーションが気泡部１４に到達するための経路として機能する。
【００４６】
リキッドファンデーションをスポンジ１に含侵させる工程において、例えば、図６に示すように、リキッドファンデーションは、矢印Ｂに示すように、下方から上方へ向かう方向において、本体１０に接触する。なお、図６においては、説明の便宜として、下方から上方への矢印Ｂのみを示しているが、含侵工程においては、リキッドファンデーョンは、外面のいずれの方向から本体１０に接触してもよく、例えば、上方から下方へ本体１０に接触してもよいし、側方から本体１０に接触してもよい。
【００４７】
本体１０の基部に接触したリキッドファンデーションは、例えば、図６及び図７の矢印Ｃ１に示すように、気泡部１４（図５参照）の中を気泡部１４の形状に沿って曲折しつつ、下方から上方に含侵していく。これに対して、スリット２０または３０に接触したリキッドファンデーションは、基部に比べて流れに対する抵抗の小さいスリット２０または３０を浸透しつつ、図６及び図７に示す矢印Ｃ２に示すように、曲折しつつ水平方向に含侵していく。
【００４８】
本明細書において、「浸透」は物体の隙間をすり抜けて液体が通過するという意味において使用し、「含侵」は組織または構造のすき間に浸み込むという意味において使用する。そして、液体の流れの速度として、浸透における速度は含侵における速度よりも速いものとする。本明細書において、液体の流れの方向として、下方から上方へ向かう方向またはその逆の方向（つまり、上下方向）は、必ずしも直線的な方向を意味せず、曲折する方向を含む。また、液体の流れの方向としての水平方向も、必ずしも直線的な方向を意味せず、曲折する方向を含む。すなわち、本明細書において、液体の流れの方向としては、「上下方向」及び「水平方向」は、互いを異なる方向として区別するための相対的な概念として使用する。
【００４９】
上述のように、平面視において、単位面積当たりのスリット２０及び３０の数は、中央部ほど多く、外側ほど少なくなっているから、中央部において、相対的に多量のリキッドファンデーションがスリット２０及び３０を上下方向に浸透していく。リキッドファンデーションは、浸透の過程において、気泡部１４（図５参照）に接し、気泡部１４を水平方向へ含侵していく。このことを概念的に示すと、図６及び図７に示すように、リキッドファンデーションは、中心部のスリット２０Ｃから水平方向に放射状に気泡部１４に含侵していく。
【００５０】
図８及び図９に示すように、スリット２０に浸透したリキッドファンデーションは、矢印Ｃ２に示すように、水平方向に気泡部１４に含侵していく。また、図９に示すように、本体１０の基部の外面から直接的に気泡部１４に接したリキッドファンデーションは、矢印Ｃ１に示す下方から上方への流れによって、気泡部１４に含侵していく。
【００５１】
図１０を参照して、スリット２０の構成を説明する。上述のように、スリット２０は、第一部２０Ａ及び第二部２０Ｂから構成される。スリット２０は切り込みであるから、スリットの幅という概念は存在しないのであるが、液体が浸透するときには、微細な隙間が生じる。図１０に示すように、液体が浸透するときには、中心部の隙間の最大幅ｗ２０ｂは、中心部以外における隙間の幅ｗ２０ａよりも大きい。したがって、スリット２０の中心部において、リキッドファンデーションの流れに対する抵抗は相対的に小さい。
【００５２】
このため、図１１に示すように、スリット２０の中心部におけるリキッドファンデーションの流れＢ１が生じる。そして、流れＢ１が、中心部の周辺におけるリキッドファンデーションの流れＢ２を促進する。これにより、より効果的に、リキッドファンデーションがスリット２０に浸透する。
【００５３】
図１２に示すように、スポンジ１は、リキッドファンデーションを含侵させるとき、本体１０の基部の外面から直接的に気泡部１４に接して含侵するリキッドファンデーション１００Ａと、スリット２０または３０を浸透して、気泡部１４に接して含侵するリキッドファンデーション１００Ｂが生じるように構成されている。図１２の状態から時間が経過すると、図１３に示すように、スポンジ１に含侵するリキッドファンデーション１００Ａ及び１００Ｂの量は増加する。
【００５４】
リキッドファンデーション１００Ａは、本体１０の全体にわたって、ほぼ均一に含侵していく。これに対して、リキッドファンデーション１００Ｂは、本体１０の中央部において相対的に多量に浸透し、外側へ含侵していく。
【００５５】
仮に、スポンジ１の構成が本実施形態とは異なり、平面視において、単位面積当たりのスリット２０及び３０の数が、中央部ほど小さく、外側部ほど多くなっている場合には、気泡部１４に効果的に含侵できない。これは、外側部から本体１０の端部までの距離（例えば、図１２の距離ｅＬ２）は、中央部から本体１０の端部までの間の距離（距離ｅＬ１）よりも短く、外側部から本体１０の端部までの間における気泡部１４の体積が相対的に小さいからである。これに対して、本実施形態のスポンジ１は、平面視において、単位面積当たりのスリット２０及び３０の数は、中央部ほど多く、外側部ほど少なくなっているから、相対的に多量のリキッドファンデーション１００Ｂが中央部に浸透し、中央部と本体１０の端部との間の相対的に大きな体積の気泡部１４に効果的に含侵していく。
【００５６】
図１４は、スポンジ１にリキッドファンデーションを含侵させる実験方法及び実験結果を示す図である。シャーレ１０２にリキッドファンデーション１００を入れ、スポンジ１を浸す。リキッドファンデーション１００にスポンジ１が沈むことができる程度に、リキッドファンデーション１００の量を調整する。そして、所定の時間内において、スポンジ１を薬さじ１０４で３０回押圧した。リキッドファンデーションの成分は、質量パーセント濃度（重量パーセント濃度）（ｗｔ％）において、水が２２％、シクロペンタシロキサンが１５％、トリエチルヘキサノインが１１％であり、その他の成分として、ＰＧ、ジフェニルシロキシフェニルトリメチコン、トリメチルシロキシケイ酸、ＰＥＧ−１０ジメチコン、メトキシケイヒ酸エチルヘキシル、ヒドロキシプロピルシクロデキストリン、イソノナン酸イソトリデシル、エタノール等を含み、粘度は、１０，０００ｍＰａ・ｓ（ミリパスカル秒：Ｂ型粘度計、Ｎｏ．４ローター、１２ｒｐｍ、２０℃）である。
【００５７】
この実験をスリット２０及び３０を形成したスポンジ１と、スリット２０及び３０のいずれも形成しない対比用スポンジの双方について、同一条件において行った。スポンジ１と対比用スポンジの相違は、スリット２０及び３０の有無であり、材質及び形状は実質的に同一である。図１４において、「Ｓｌｉｔ」と記載があるのがスポンジ１であり、「Ｎｏ  Ｓｌｉｔ」と記載があるのが対比用スポンジである。「Ｗｅｉｇｈｔ  ｂｅｆｏｒｅ  ｉｍｐｒｅｇｎａｔｉｏｎ」は含侵前の重量であり、「Ｗｅｉｇｈｔ  ａｆｔｅｒ  ｉｍｐｒｅｇｎａｔｉｏｎ」は含侵後の重量である。含侵後の重量と含侵前の重量の差が含侵したリキッドファンデーション１００の含侵量（質量）である。
【００５８】
スポンジ１の含侵量は９．８８グラム（ｇ）（１１．１７−１．２９）であり、含侵前の重量は１．２９グラム（ｇ）であるから、含侵前の１グラム（ｇ）あたりの含侵量（以下、「単位含侵量」という。）は、７．６６グラム（ｇ）である。これに対して、対比用スポンジの含侵量は８．２グラム（ｇ）（９．５８−１．３８）であり、含侵前の重量は１．３８グラム（ｇ）であるから、単位含侵量は５．９４グラム（ｇ）である。単位含侵量で対比すると、スポンジ１が１．７２グラム（ｇ）多い。１．７２グラム（ｇ）は、対比用スポンジの単位含侵量５．９４グラム（ｇ）の２９パーセント（％）に相当する。すなわち、スポンジ１は、上述の構成の切り込み２０及び３０を形成したことによって、スリット２０または３０を形成しない場合に比べて、単位含侵量が２９％増加した。これは、同一の時間における単位含侵量が２９％増加したことを意味し、スポンジ１は、より短時間でより多くのリキッドファンデーションを含侵することができたことを意味する。
【００５９】
スポンジ１においては、スリット２０及び３０を形成することによって、連続気泡を切断するから、連続気泡に保持することができるリキッドファンデーションの量は減少する。それにも関わらず、上記実験によって、スポンジ１が対比用スポンジよりも多量のリキッドファンデーションを含有した事実は、スリット２０及び３０によって、リキッドファンデーションが連続気泡に接する面積を増加した効果が大きいことを意味する。
【００６０】
＜第二の実施形態＞
第二の実施形態について、第一の実施形態と異なる部分を中心に説明する。図１５に示すように、第二の実施形態のスポンジ１Ａにおいては、中心部に十字型スリット２０が形成されている以外は、線分状のスリット３０が形成されている。
【００６１】
＜第三の実施形態＞
第三の実施形態について、第一の実施形態と異なる部分を中心に説明する。図１６に示すように、第三の実施形態のスポンジ１Ｂにおいては、中心部に十字型スリット２０が形成されている以外は、線分状のスリット３０が形成されている。スリット３０の線分方向は中心部を向いて形成されている。
【００６２】
＜第四の実施形態＞
第四の実施形態について、第一の実施形態と異なる部分を中心に説明する。図１７乃至図１９に示すように、第四の実施形態のスポンジ１Ｃにおいては、本体１０にスリット２１及びスリット３１が形成されているが、スリット２１及びスリット３１は本体１０を上下方向に貫通していない。裏面１０ｂにはスリット２１及びスリット３１が露出しているが（図１８参照）、上面１０ａにはスリット２１及びスリット３１が露出していない（図１７参照）。化粧品容器４０において、スリット２１及びスリット３１が露出していない上面１０ａが露出するように、スポンジ１Ｃを配置する。これにより、ユーザーがパフ４６をスポンジ１Ｃに押し付けて使用するとき、パフ４６はスリット２１及びスリット３１が露出していない上面１０ａに接するから、リキッドファンデーションをパフ４６の面により均等に付着させることができる。
【００６３】
＜第五の実施形態＞
第五の実施形態について、第四の実施形態と異なる部分を中心に説明する。図２０に示すように、第五の実施形態のスポンジ１Ｄにおいては、本体１０を上下方向に貫通しないスリット２１と、貫通するスリット２０が形成されている。これにより、第一の実施形態における効果と第四の実施形態における効果の双方を奏する。
【００６４】
＜第六の実施形態＞
第六の実施形態について、第一の実施形態と異なる部分を中心に説明する。図２１に示すように、第五の実施形態のスポンジ１Ｅにおいては、スリット２２は、本体１０を上下方向に貫通せず、上面１０ａと裏面１０ｂの中間部は、スリット２２が形成されていない領域となっている。これにより、スリット２２が形成されていても、気泡部１４（図５参照）を上下方向に完全に切断することはないから、リキッドファンデーションを効果的に水平方向に含侵させることができる。
【００６５】
なお、本発明の化粧品容器は、上記実施形態に限らず、本発明の要旨を逸脱しない範囲内において種々変更を加えることができる。
【符号の説明】
【００６６】
１，１Ａ，１Ｂ，１Ｃ，１Ｄ，１Ｅ    スポンジ
１０  本体
１２  樹脂部
１４  気泡部
２０，３０，２１，２２  スリット
２０Ａ  第一部
２０Ｂ  第二部
４０  化粧品容器
４６  パフ
【要約】
本発明は、より短時間で化粧用組成物を含侵させることができる液状物含侵用部材を提供するものである。本発明の液状物含侵用部材は、連続気泡が形成された発泡プラスチック製の本体１０を有し、側面と、側面よりも大きな面積を有する上面及び裏面によって外形が規定され、複数のスリット２０及び／または３０が互いに乖離して形成されており、複数のスリット２０及び／または３０は、本体１０の全体に分布し、本体１０の上面と裏面を結ぶ方向に延びるように形成されており、本体１０の中央部に形成された複数のスリット２０及び／または３０の間の間隔は、中央部の外側に形成された複数のスリット２０及び／または３０の間の間隔よりも小さく形成されており、スリット２０及び／または３０は、化粧用組成物が連続気泡に達するための経路として機能し、連続気泡は、主として化粧用組成物の保持部として機能するように構成されている。【図１】
0006744680.tif 000002
【図２】
0006744680.tif 000003
【図３】
0006744680.tif 000004
【図４】
0006744680.tif 000005
【図５】
0006744680.tif 000006
【図６】
0006744680.tif 000007
【図７】
0006744680.tif 000008
【図８】
0006744680.tif 000009
【図９】
0006744680.tif 000010
【図１０】
0006744680.tif 000011
【図１１】
0006744680.tif 000012
【図１２】
0006744680.tif 000013
【図１３】
0006744680.tif 000014
【図１４】
0006744680.tif 000015
【図１５】
0006744680.tif 000016
【図１６】
0006744680.tif 000017
【図１７】
0006744680.tif 000018
【図１８】
0006744680.tif 000019
【図１９】
0006744680.tif 000020
【図２０】
0006744680.tif 000021
【図２１】
0006744680.tif 000022
【図２２】
0006744680.tif 000023
【図２３】
0006744680.tif 000024